(57)【要約】【課題】降雨、風、気温等の外部状況を数値的に検出し、外部の状況を複合的に解析して窓の開閉を細かく制御することができる窓を提供する。  【解決手段】開閉窓、風速センサ、降雨センサ、及び、風速センサと降雨センサにより検出される情報に基づいて開閉窓の開閉を制御する窓開閉制御機構を備え、窓開閉制御機構は、降雨センサにより降雨が検出される場合には、開閉窓の開閉を、雨が降り込まない開度以下に制限する。【選択図】図１
2015048629.tif 000002
【特許請求の範囲】
【請求項１】
開閉窓、風速センサ、降雨センサ、及び、風速センサと降雨センサにより検出される情報に基づいて開閉窓の開閉を制御する窓開閉制御機構を備え、
窓開閉制御機構は、降雨センサにより降雨が検出される場合には、開閉窓の開閉を、雨が降り込まない開度以下に制限することを特徴とする電動突き出し窓。
【発明の詳細な説明】
【技術分野】
【０００１】
本発明は、建物開口部に設けるサッシとして、電動で開閉する突き出し窓に関し、特に、外部状況に応じて最適な開閉制御が行われる電動突き出し窓に関する。
【背景技術】
【０００２】
従来、窓の開閉は人によって決定されており、雨が降ってきた場合や強風の場合などに窓を閉めるといった開閉操作が行われている。このような、人が行う窓の開閉を自動制御で行うサッシが知られており、そのようなサッシでは、センサにより降雨や強風を検出して窓の自動開閉制御を行っていた。
【先行技術文献】
【特許文献】
【０００３】
【特許文献１】特開昭６０−１３１８６号公報
【発明の概要】
【発明が解決しようとする課題】
【０００４】
しかしながら、上記窓の自動開閉制御においては、強風や降雨が検出された場合に窓を閉鎖する等の単純な制御を行うのが一般的であった。
【０００５】
本発明は、上記事情を鑑みたものであり、降雨、風、気温等の外部状況を数値的に検出し、複合的に解析して窓の開閉を細かく制御することができる窓を提供することを目的とする。
【課題を解決するための手段】
【０００６】
本発明は、開閉窓、風速センサ、降雨センサ、及び、風速センサと降雨センサにより検出される情報に基づいて開閉窓の開閉を制御する窓開閉制御機構を備え、窓開閉制御機構は、降雨センサにより降雨が検出される場合には、開閉窓の開閉を、雨が降り込まない開度以下に制限することを特徴とする。
【発明の効果】
【０００７】
本発明によれば、人の感覚に頼らない、外部状況に応じた心地よい効率的な換気をすることができる。
【図面の簡単な説明】
【０００８】
【図１】本発明の電動突き出し窓の全体構成図である。
【図２】本発明の電動突き出し窓の外観図である。
【図３】本発明の電動突き出し窓の外観図におけるＡ−Ａ縦断面図である。なお、開閉手段は省略されている。
【図４】本発明の電動突き出し窓の外観図におけるＢ−Ｂ横断面図である。なお、左側障子におけるロック手段は省略されている。
【図５】本発明の電動突き出し窓の閉鎖状態を示す図である。
【図６】本発明の電動突き出し窓の開放状態を示す図である。
【図７】本発明の電動突き出し窓の個別制御形態を示す図である。
【図８】本発明の電動突き出し窓の集中制御形態を示す図である。
【図９】本発明の電動突き出し窓の建物の管理システムに連動した集中制御形態を示す図である。
【図１０】本発明の実施形態に係る電動突き出し窓の開閉制御のフローチャートである。
【図１１】本発明の第１の実施形態に係る電動突き出し窓の自動開閉制御のフローチャートである。
【図１２】本発明の第２の実施形態に係る電動突き出し窓の自動開閉制御のフローチャートである。
【図１３】本発明の電動突き出し窓をボイド空間がない建物に設置した状態を示す図である。
【発明を実施するための形態】
【０００９】
（窓体の構成）
本発明の電動突き出し窓を、図１〜６に示すような、枠体１に二枚の障子２を納めた突き出し窓の例を挙げて説明する。
本発明の電動突き出し窓（又は、横滑り出し窓）は、建物に設置される枠体１及び枠体１内に回動自在に嵌まる障子２とからなる開閉窓本体（以下、単に「窓」という。）、窓の開閉制御をする窓開閉制御機構及び外部の状況を検出する外部センサ６とからなる。
【００１０】
窓開閉制御機構は障子２を突き出して窓を開閉する開閉手段３、開閉手段３の駆動を制御する制御ユニット５とからなり、制御ユニット５に、開閉手段３及びロック手段４を駆動操作するための操作手段７及び外部センサ６が接続されている。
【００１１】
外部センサ６は、所定時間毎に風速を検出し、検出した風速を制御ユニット５に送信する風速センサ６１、所定時間毎に外気温度を検出し、検出した外気温度を制御ユニット５に送信する温度センサ６２、降雨を検知した時に降雨検知信号として制御ユニット５に送信する降雨センサ６３、煙を検知したときに煙検知信号として制御ユニット５に送信する煙感知センサ６４等からなる。
【００１２】
操作手段７は、窓の開閉を自動制御で行うことを指示する自動開閉信号を制御ユニット５に送信する自動開閉スイッチ７１、窓の開閉を手動操作するための手動操作信号を制御ユニット５に送信する手動操作スイッチ７２、窓を強制的に全開放状態に操作する強制開放信号を制御ユニット５に送信する強制開放スイッチ７３を備えている。
【００１３】
制御ユニット５は、操作手段７及び外部センサ６により送信される各種信号を受信する受信部５１、受信した各種信号に基づいて窓の開度を決定する制御部５２、制御部５２により決定された窓の開度を開閉信号として開閉手段３に送信する送信部５３とからなる。  
【００１４】
そして、制御部５２は、窓を閉鎖状態とする開閉信号を送信するときカウントダウンがスタートする閉鎖タイマ５６ａ（フローチャートでは、「T0」と示す。）と、窓を小開放状態とする開閉信号を送信したときカウントダウンがスタートする小開タイマ５６ｂ（フローチャートでは、「T5」と示す。）と、窓を中開放状態とする開閉信号を送信したときカウントダウンがスタートする中開タイマ５６ｃ（フローチャートでは、「T15」と示す。）とを備えている。
【００１５】
開閉手段３は、制御ユニット５の送信部５３から送信される開閉信号を受信し、開閉信号に基づいて窓の開閉を行う。
【００１６】
枠体１は、上下の横枠（上枠１１及び下枠１２）と、左右の縦枠１３、１３及び方立１４を枠組みして形成されており、枠体１に支持された二枚の障子２は、何れも上下の横框（上框２１及び下框２２）と縦框（外側縦框２３及び方立側縦框２４）とを備え、左右の縦框の間に上下の横框を取り付けて四周框組みして、ガラス等のパネル２５を嵌め込んで形成されている。
【００１７】
上枠１１及び下枠１２の室内側部位には、障子２の閉鎖時に上框２１、下框２２の室内側面に当接するシール部材１１ａ、シール部材１２ａが設けられており、縦枠１３，１３及び方立１４の室内側部位には、障子２の閉鎖時に外側縦框２３及び方立側縦框２４の室内側部に当接するシール部材１３ａ、及びシール部材１４ａが設けられている。
【００１８】
上枠１１の下面には、障子を回動自在に支持する回動軸１１ｃが設けられ、上框２１の上面に設けられた軸受２１ｃにより、障子２が回動軸１１ｃを中心に回動自在に支持され、突き出し自在に構成されている。上枠１１の下面には、上框２１の軸受２１ｃに摺接するシール部材１１ｂが設けられている。
【００１９】
縦框（外側縦框２３及び方立側縦框２４）の室外側部位には、障子２の閉鎖時に左右の縦枠１３及び方立１４の見付け方向内側に当接するシール部材２３ａ、２４ａが設けられている。
【００２０】
（開閉手段の構成）
開閉手段３は、制御ユニット５の送信部５３により送信される開閉信号に基づいてシリンダを伸縮させる開閉アクチュエータ３１、開閉アクチュエータ３１のシリンダの上方に左右方向に延びるように固定された連動バー３２、連動バー３２の左右両端部に一端が回動自在に連結される開閉アーム３３とを備えている。
【００２１】
開閉アクチュエータ３１はシリンダを上方に向けて方立１４内に設置されており、連動バー３２の左右両端部が方立１４の左右側面に形成された長孔より方立１４外に突出している。方立１４の左右側面には、前記長孔に沿って溝型のアームガイド３４が配置されており、アームガイド３４内を連動バー３２に設けた駒部３５が上下摺動するように構成されている。そのため、連動バー３２が上下動する際に水平が維持され、安定して上下動することができる。
【００２２】
方立側縦框２４の室内側面には、開閉手段３の開閉アーム３３を回動自在に支持するためのブラケット３６が固定されている。ブラケット３６は、固定部及びアーム取付部とからなる平面視Ｌ形をしており、固定部により方立側縦框２４の室内側面に取り付けられ、アーム取付部が室内側に向かって突出して形成され、開閉アーム３３を回動自在に取り付けるためのピン部材３６ａを支持している。
【００２３】
連動バー３２の駒部３５よりも外側部は、アームガイド３４より外方に突出してピン部材３２ａが設けられており、ピン部材３２ａとブラケット３６に取り付けられたピン部材３６ａとが、開閉アーム３３によって連結されている。
【００２４】
そして、図５に示す障子２の閉鎖状態から、開閉アクチュエータ３１のシリンダが伸長すると、連動バー３２のピン部材３２ａがアームガイド３４に沿って垂直に上昇して開閉アーム３３の下端が上方に移動し、開閉アーム３３の上端が障子２の方立側縦框２４に設けられたピン部材３６ａを外方へ押し出すように開閉アーム３３が移動する。それにより、障子２は回動軸１１ｃを中心にして、室外に突き出されて、図６に示すように開放状態となる。
【００２５】
（ロック手段の構成）
ロック手段４は、シリンダを有するロックモータ４１、下枠１２上を左右方向に摺動するロックアーム４２、ロックアーム４２上に設けられたロックピン４３、ロックアーム４２とシリンダとを連結する連結部材４４、下框２２の室内側面に固定されたロック受４５とから構成されている。
【００２６】
ロックモータ４１は、方立１４の右方の下枠１２上に、シリンダを右方へ向け伸縮自在にして配置されており、シリンダの先端部には、連結部材４４がねじ等により連結されている。そして、ロックアーム４２が方立１４を貫いて下枠１２上を左右方向に延びており、ロックアーム４２の左右の障子２の下方位置にロックピン４３が固定されている。（図４では、左側障子のロック手段は省略されている。）ロックアーム４２の右端は、前記連結部材４４がねじ等により連結され、ロックモータ４１のシリンダとロックアーム４２とが連結されている。
【００２７】
下框２２の室内側面には、ロック受４５がビス等により固定されている。ロック受４５は、下框２２の室内側面に固定される固定部、固定部上部より室内側に水平に延びる水平部、水平部から下方に垂下されるロック部とから構成され、ロック部のロックピン４３が挿入される側には室内方向に傾斜する導入部が形成され、ロックピン４３の挿入をスムーズにしている。
【００２８】
ロックモータ４１を駆動することにより、シリンダが右方向に伸張し、それに伴って、シリンダに連結固定されているロックアーム４２も右方向に摺動し、ロックピン４３が下框２２の室内側に設けたロック受４５の導入部からロック部に係合し、窓の開閉を阻止することができる。
【００２９】
（電動突き出し窓の制御）
本発明の電動突き出し窓を実施するに際しては、外気温度、風速、窓の開閉状態について、以下のように定義・設定がされている。
外気温度について、換気により快適な室内状況とすることができる温度範囲を「換気好適温度範囲」と、冷暖房装置等空調設備により室内温度を調整する必要がある温度範囲を「換気不適温度範囲」と定義している。
本発明の電動突き出し窓を制御するに際して、換気好適温度範囲として12℃以上28℃未満が設定され、換気不適温度範囲として12℃未満もしくは28℃以上が設定されている。
【００３０】
風速について、窓に対して負圧を生じさせる風速を「マイナス」、正圧を生じさせる風速を「プラス」とし、窓を開放すると風の吹き込みが強く、窓を閉鎖する基準となる大きさの風を「強風」とし、窓が全開の状態では風の吹き込みが強く、全開放状態から窓の開度を小さくする基準となる大きさの風を「小風」とし、風速に応じて窓の開閉制御を行う上で設定される強風と小風との間の大きさの風の一例を「中風」と定義している。
本発明の電動突き出し窓を制御するに際しては、強風値として風速15m/sが、中風値として風速5m/sが、小風値として風速3m/sが設定されている。
【００３１】
そして、強風値以上の風域（15m/s〜）を「暴風域」と、中風以上強風未満の風域（5m/s〜15m/s）を「強風域」と、小風以上中風未満の風域（3m/s〜5m/s）を「中風域」と、無風以上小風未満の風域（0m/s〜3m/s）を「小風域」と定義している。
【００３２】
窓の開閉状態について、窓の構造上の最大の開放状態を「全開放状態」、通常の使用における最大の開放状態を「大開放状態」、降雨時においても雨が吹き込まない開放状態を「小開放状態」とし、風速に応じて窓の開閉制御を行う上で設定される大開放状態と小開放状態との間の開放状態の一例を「中開放状態」と定義している。なお、大開放状態は、全開放状態と同じであってもよい。
【００３３】
本発明の電動突き出し窓を制御するに際しては、大開放状態として45°開放が、中開放状態として15°開放が、小開放状態として5°開放が設定されている。
これらの定義・設定は、一例であり、設定の数や大きさ等は適宜設定できるものである。
【００３４】
本発明の電動突き出し窓は、操作手段７の各スイッチにより、以下のように制御される。
使用者により、操作手段７の強制開放スイッチ７３が操作されると、強制開放信号が制御ユニット５の受信部５１に送信される。強制開放信号を受信した制御ユニット５は窓を全開放状態とする開閉信号を送信部５３から開閉手段３に送信し、窓を全開放状態とする。
【００３５】
使用者により、操作手段７の手動操作スイッチ７２が操作されると、手動操作信号が制御ユニット５の受信部５１に送信される。手動操作信号を受信した制御ユニット５は、風速センサ６１により検出される風速が強風値未満（-15m/s〜15m/s）にあれば、手動操作信号に基づいて開度を決定し、開閉信号として送信部５３から開閉手段３に送信して窓を開閉制御する。また、風速センサ６１により検出される風速が暴風域（〜-15m/s、15m/s〜）にあれば、窓を閉鎖する開閉信号を送信部５３から開閉手段３に送信して窓を閉鎖状態にし、その後所定時間（たとえば３０分間）窓の閉鎖状態を維持する。
なお、窓を閉鎖状態とする開閉信号を送信するのに連動して、窓をロック状態とする信号をロック手段４に送信して施錠するように制御するとともに、窓を開放状態とする開閉信号を送信するのに連動して、窓をロック解除状態とする信号をロック手段４に送信して解錠するように制御することもできる。
【００３６】
使用者により、操作手段７の自動開閉スイッチ７１が押されると、自動開閉信号が制御ユニット５の受信部５１に送信される。制御ユニット５が自動開閉信号を受信すると、風速センサ６１、温度センサ６２、降雨センサ６３、煙感知センサ６４等の外部センサ６により検出される情報に基づいて窓の自動開閉制御が行われる。
【００３７】
（電動突き出し窓の自動開閉制御）
操作手段７の自動開閉スイッチ７１が押され、自動開閉制御が行われると、制御ユニット５の制御部５２は、各外部センサにより検出される情報に基づいて最適な窓の開度を決定する。決定された開度は開閉信号として送信部５３から開閉手段３に出力されて、開閉手段３により窓の開閉動作が行われる。
【００３８】
制御ユニット５は、煙感知センサ６４により煙が検知され、煙検知信号が送信されると、他の外部センサ６から送信される情報に優先して窓を全開放状態とする開閉信号を開閉手段３に送信し、煙感知センサ６４により煙が検知されなくなるまで全開放状態を維持する。
【００３９】
煙感知センサ６４により煙が検知されない通常時には、制御ユニット５は、温度センサ６２により検出される外気温度が、換気好適温度範囲（12〜28℃）であるか否かを判定して、温度センサ６２により検出される外気温度が換気好適温度範囲（12〜28℃）にはないとき、すなわち換気不適温度範囲（〜12℃、28℃〜）にあるときには、冷暖房装置等空調設備により調整されている室内の空気が室外に流出すること、または、室内に外気が侵入することを防止するために、窓を閉鎖状態とする開閉信号を開閉手段３に送信する。
【００４０】
そして、温度センサ６２により検出される外気温度が換気好適温度範囲（12〜28℃）にある場合には、制御ユニット５は、降雨センサ６３と風速センサ６１により検出される情報に基づいて窓の開度を決定し、開閉信号として開閉手段３に送信している。
【００４１】
具体的には、温度センサ６２により検出される外気温度が換気好適温度範囲（12〜28℃）にある場合には、制御ユニット５は、降雨センサ６３により降雨が検知されているか否かを判定し、降雨センサ６３により降雨が検知されていないときには、窓の開放を閉鎖状態から大開放状態（45°開放状態）の範囲に設定して、風速センサ６１により検出される風速に基づいて窓の開度を決定し、開閉信号として開閉手段３に送信している。降雨センサ６３により降雨が検知されているときには、窓の開放を閉鎖状態から小開放状態（5°開放状態）の範囲に制限して、風速センサ６１により検出される風速に基づいて窓の開度を決定し、開閉信号として開閉手段３に送信している。
【００４２】
たとえば、降雨センサ６３により降雨が検知されておらず、風速センサ６１により検出される風速がマイナス強風値〜プラス小風値の範囲（-15m/s〜3m/s）にある場合には窓を大開放状態（45°開放状態）となるように、同じくプラスの中風域（3m/s〜5m/s）にある場合には窓を中開放状態（15°開放状態）となるように、同じくプラスの強風域（5m/s〜15m/s）にある場合には窓を小開放状態（5°開放状態）となるように、同じく暴風域（〜-15m/s、15m/s〜）にある場合には窓を閉鎖状態となるように窓の開度を決定している。
【００４３】
そして、降雨センサ６３により降雨が検知されており、風速センサ６１により検出される風速がマイナス強風値〜プラス強風値の範囲（-15m/s〜15m/s）にある場合には窓を小開放状態（5°開放状態）となるように、同じく暴風域（〜-15m/s、15m/s〜）にある場合には窓を閉鎖状態となるように窓の開度を決定している。
【００４４】
なお、上記の例では、窓の開度は、風速センサ６１により検出される風速に応じて段階的に変化するように制御されているが、その段階は、さらに細かくすることもでき、また、連続的に開度が変化するように制御することもできる。
【００４５】
上記のように窓の開度が決定され、開閉信号が送信されたときには、送信された開閉信号に応じて、閉鎖タイマ５６ａ、小開タイマ５６ｂ、中開タイマ５６ｃのカウントダウンがスタートし、タイマのカウントダウンが終了するまでの所定時間（たとえば３０分間）は、その後風速センサ６１により検出される風速が変わっても、窓を開放方向へ駆動する開閉信号の送信は行われない。ただし、風速が強くなった場合など窓の閉鎖方向へ駆動する開閉信号の送信は、随時行われる。
上記窓を開放方向へ駆動する開閉信号の送信の中止は、窓が閉鎖方向へ制御された場合にのみ行われるものとしてもよい。
【００４６】
以上のように自動開閉制御が行われることにより、降雨センサ６３により降雨が検知されておらず、風速センサ６１により検出される風速がマイナスであるときには、窓を大開放状態（45°開放状態）となる排気効率のよい排気窓として機能させることができ、同じく風速センサ６１により検出される風速がプラスであるときには、風速が大きくなるに応じて開度が小さくなり、強風が室内に吹き込むことを防止できる給気窓として機能させることができる。
【００４７】
そして、降雨センサ６３により降雨が検知されているときには、開度を小開放状態（5°開放状態）以下に制限して、雨が吹き込みにくい突き出し窓の特徴を生かして、雨の吹き込みを防止しながら換気が継続できる。
また、窓の開閉駆動が行われた後、その後風速が変わっても、窓の開放方向への回動は所定時間行われないので、風の入り過ぎを防止できると共に、窓が風の変化で頻繁に開閉することが防止され、開閉アクチュエータ３１等開閉手段３の寿命を延ばすことができる。
【００４８】
なお、上記電動突き出し窓の自動開閉制御において、風速センサ６１により検出される風速がマイナスのときには、窓を閉鎖状態となるように制御して、風により窓に負圧が生じるときには閉鎖状態となる給気タイプの窓として構成することができる。
【００４９】
（制御形態）
本発明の電動突き出し窓は、個別制御、集中制御のいずれの形態においても使用することができる。
ａ．個別制御
図７に示されるように、風速センサ６１、温度センサ６２、降雨センサ６３の外部センサ、開閉手段３、ロック手段４、操作手段７、及び、窓本体からなる電動突き出し窓を、他の電動突き出し窓に対して独立して設置する。図示はしていないが、外部センサとして、さらに煙感知センサ６４を設置することも可能である。なお、図７に示される風速センサ６１は、室内外の気圧の差を検出する差圧センサにより構成されている。
【００５０】
各窓毎に外部センサを備えているので、各窓の状況に応じた細かい開閉制御を行うことができる。また、個々の窓で構成部材や制御が完結しているために建物への設置が比較的容易にでき、戸建て等の住宅にも設置することができる。
なお、操作手段７については、一つの操作手段７により複数の電動突き出し窓を操作できるようにしてもよい。
【００５１】
ｂ．集中制御
図８に示されるように、窓の開閉手段３及びロック手段４に接続された制御ユニット５を中継盤に接続し、中継盤を介して風速センサ６１、温度センサ６２、降雨センサ６３等の外部センサ及び操作手段７が接続されている。建物の屋上などに設置した外部センサの情報等によりビル等の大型建造物全体の効率的な換気をすることができる。
【００５２】
ｃ．集中制御（管理システムとの連携）
図９に示されるように、集中制御においては、中堅盤に建物の管理システムを連携させて、たとえば煙感知センサ６４等の建物の管理システムの各種センサや空調設備の駆動に連動させて窓を開閉制御させるなど、建築全体のエネルギー消費に対して効率のよい換気をすることができる。
【００５３】
（窓の開閉制御のフローチャート）
図１０に、本発明の電動突き出し窓を開閉制御するためのフローチャートを示す。
電動突き出し窓に電源が入ると、まず、強制開放スイッチ７３により強制開放信号が送信されているか否かが判定され（ステップs101）、強制開放信号が送信されている場合には、窓を全開放状態として（ステップs102）、ステップs101に戻る。
【００５４】
強制開放信号が送信されていなければ、次に、手動操作スイッチ７２により手動操作信号が送信されているか否かが判定され（ステップs103）、手動操作信号が送信されていれば、ステップs104に進み、風速センサ６１により検出される風速が、マイナスの強風値〜プラスの強風値の範囲（-15m/s〜15m/s）にあるか否かが判定される。
【００５５】
ステップs104で、風速センサ６１により検出される風速がマイナスの強風値〜プラスの強風値の範囲（-15m/s〜15m/s）にあると判定されれば、手動操作信号に基づいて窓の開閉制御を行い（ステップs105）、ステップs101に戻る。
一方、ステップs104で、風速センサ６１により検出される風速がマイナスの強風値〜プラスの強風値の範囲（-15m/s〜15m/s）外にあると判定された場合、すなわち暴風域にある場合には、窓を閉鎖状態として、閉鎖タイマ５６ａのカウントダウンをスタートさせて（ステップs106）、ステップs101に戻る。
【００５６】
ステップs103で、手動操作信号が送信されていないと判定された場合には、ステップs107に進み、自動開閉スイッチ７１により自動開閉信号が送信されているか否かが判定される。自動開閉信号が送信されていれば、ステップs108に進んで窓の自動開閉制御を行う。自動開閉信号が送信されていなければ、ステップs101に戻る。
【００５７】
（第1の実施形態の自動開閉制御のフローチャート）
図１１に、本発明の第１の実施形態の自動開閉制御サブルーチン（ステップs108）のフローチャートを示す。
自動開閉制御サブルーチンにおいて、ステップs201では、煙感知センサ６４により煙が検知され、煙検知信号が送信されているか否かが判定される。煙検知信号が送信されている場合には、窓を全開放状態として（ステップs202）、ステップs201に戻り、煙検知信号が送信されなくなるまで窓の強制開放状態が維持される。
【００５８】
煙検知信号が送信されていないときには、ステップs203に進み、温度センサ６２により検出される外気温度が換気好適温度範囲（12℃〜28℃）にあるか否かが判定される。
【００５９】
ステップs203で、温度センサにより検出される外気温度が換気好適温度範囲（12℃〜28℃）にないと判定された場合、すなわち外気温度が換気不適温度範囲（〜12℃、28℃〜）にある場合には、ステップs204に進み、閉鎖タイマ５６ａがゼロであるか否かを判定する。ステップs204で閉鎖タイマ５６ａがゼロであると判定された場合には、窓を閉鎖状態として、閉鎖タイマ５６ａのカウントダウンをスタートさせて（ステップs205）、リターンする。
【００６０】
ステップs204で閉鎖タイマ５６ａがゼロでないと判定された場合は、窓はすでに閉鎖状態にあるので、現状を維持してリターンする。
なお、現状を維持してリターンする場合には、各タイマのカウントダウンを初期値（たとえば３０分）から再スタートさせるようにしてもよい。
【００６１】
ステップs203で、温度センサ６２により検出される外気温度が換気好適温度範囲（12℃〜28℃）にあると判定された場合には、ステップs206に進み、降雨センサ６３により降雨が検知され、降雨検知信号が送信されているか否かが判定され、降雨検知信号が送信されている場合には、ステップs213に進む。
【００６２】
ステップs213では、風速センサ６１により検出される風速がマイナス強風値〜プラス強風値の範囲（-15m/s〜15m/s）にあるか否かが判定され、風速がマイナス強風値〜プラス強風値の範囲（-15m/s〜15m/s）にあると判定された場合はステップs214に進んで小開タイマ５６ｂと閉鎖タイマ５６ａの両タイマがゼロであるか否かを判定する。ステップs214で両タイマがゼロであることが判定された場合は、窓を小開放状態（5°開放状態）とし、小開タイマ５６ｂのカウントダウンをスタートさせて（ステップs215）、リターンする。ステップs214で、いずれかのタイマのカウンタがゼロでないと判定された場合には、窓はすでに小開放状態（5°開放状態）もしくは閉鎖状態にあるので、現状を維持してリターンする。
【００６３】
ステップs213で風速センサ６１により検出される風速がマイナス強風値〜プラス強風値の範囲（-15m/s〜15m/s）にはないと判定された場合には、ステップs216に進み、閉鎖タイマ５６ａがゼロであるか否かを判定する。ステップs216で閉鎖タイマ５６ａがゼロであると判定された場合は、窓を閉鎖状態とし、閉鎖タイマ５６ａのカウントダウンをスタートさせて（ステップs217）、リターンする。
【００６４】
ステップs216で閉鎖タイマ５６ａがゼロでないと判定された場合は、窓はすでに閉鎖状態であるので、現状を維持してリターンする。
【００６５】
一方、ステップs206で、降雨センサ６３により降雨が検知されず、降雨検知信号が送信されていないと判定された場合には、ステップs207に進み、風速センサ６１により検出される風速がマイナス強風値からプラス小風値の範囲（-15m/s〜3m/s）にあるか否かが判定され、マイナス強風値からプラス小風値の範囲（-15 m/s〜3 m/s）にあると判定された場合には、ステップs208に進む。ステップs208では、中開タイマ５６ｃ、小開タイマ５６ｂ、閉鎖タイマ５６ａのカウンタがゼロであるか否かが判定され、すべてのタイマがゼロであることが判定された場合には、窓を大開放状態（45°開放状態）とし（ステップs209）、リターンする。ステップs208で、いずれかのタイマのカウンタがゼロでないと判定された場合には、窓はすでに中開放状態、小開放状態、閉鎖状態の何れかの開放状態であるので、窓の大開放状態への駆動は中止され、現状を維持してリターンする。
【００６６】
ステップs207で、風速センサ６１により検出される風速がマイナス強風値からプラス小風値の範囲（-15 m/s〜3m/s）にないと判定された場合には、ステップs210に進み、風速センサ６１により検出される風速がプラスの中風域（3 m/s〜5 m/s）にあるか否かが判定される。
【００６７】
ステップs210で、風速センサにより検出される風速がプラスの中風域（3 m/s〜5 m/s）にあると判定された場合には、ステップs211に進み、中開タイマ５６ｃ、小開タイマ５６ｂ、閉鎖タイマ５６ａのカウンタがゼロであるか否かが判定される。ステップs211で、すべてのタイマがゼロであることが判定された場合には、窓を中開放状態（15°開放状態）とし、中開タイマ５６ｃのカウントダウンをスタートして、リターンする（ステップs212）。ステップs211で、いずれかのタイマのカウンタがゼロでないと判定された場合には、窓はすでに中開放状態、小開放状態、閉鎖状態の何れかの開放状態であるので、現状を維持してリターンする。
【００６８】
ステップs210で、風速センサ６１により検出される風速がプラスの中風域（3 m/s〜5 m/s）にないと判定された場合には、ステップs213に進み、風速センサ６１により検出される風速がマイナス強風値からプラス強風値の範囲（-15 m/s〜15 m/s）にあるか否かが判定される。
【００６９】
ステップs213で、風速センサ６１により検出される風速がマイナス強風値からプラス強風値の範囲（-15 m/s〜15 m/s）にあると判定された場合には、ステップs214に進み、小開タイマ５６ｂと閉鎖タイマ５６ａのカウンタがゼロであるか否かが判定される。ステップs214で両タイマがゼロであることが判定されたら、窓を小開放状態（5°開放状態）とし、小開タイマ５６ｂのカウントダウンをスタートして、リターンする（ステップs215）。ステップs214で、小開タイマ５６ｂと閉鎖タイマ５６ａのいずれかのカウンタがゼロでないと判定された場合には、窓はすでに小開放状態と閉鎖状態の何れかの開放状態であるので、現状を維持してリターンする。
【００７０】
ステップs213で、風速センサ６１により検出される風速がマイナス強風値からプラス強風値の範囲（-15m/s〜15m/s）にないことが判定された場合には、ステップs216に進み、閉鎖タイマ５６ａがゼロであるか否かを判定する。ステップs216で閉鎖タイマ５６ａがゼロであると判定された場合には、窓を閉鎖状態として、閉鎖タイマ５６ａのカウントダウンをスタートさせて（ステップs217）、リターンする。
【００７１】
ステップs216で閉鎖タイマ５６ａがゼロでないと判定された場合は、窓はすでに閉鎖状態にあるので、現状を維持してリターンする。
【００７２】
（第２の実施形態の自動開閉制御のフローチャート）
図１２に、本発明の第２の実施形態の自動開閉制御サブルーチン（ステップs108）のフローチャートを示す。第１の実施形態は、給排気タイプの電動突き出し窓であったが、第２の実施形態は、風速センサ６１により検知される風速がマイナスのとき、すなわち窓に負圧がかかる時には、窓が閉鎖状態となる給気タイプの電動突き出し窓として制御される。
【００７３】
給気タイプの電動突き出し窓は、風速値がマイナスの状態にあると、強制的に排気されることが生じてしまうので、第１の実施形態における「ステップs207」及び「ステップs213」において判定される風速域を、それぞれ無風状態からプラス小風値の範囲（+0 m/s〜3 m/s）、無風状態からプラス強風値の範囲（風速が+0 m/s〜15 m/s）としている。それにより、風速値がマイナスの範囲内である場合には、窓を開放するステップに進まない。その他のステップについては、第１の実施形態と同様であるので、説明は省略する。
【００７４】
（電動突き出し窓の設置）
図１３に、本発明の第1の実施形態の電動突き出し窓を、ボイド空間等がない建築物の外壁構成部の対向する２面に配置した例を示す。図１３においては、一例として、風速値が中風域（3m/s〜5m/s）にある風が図面左側より吹いている状況を示しており、左側の窓は風速値が中風域（3m/s〜5m/s）にある風に対応して開度を中開放状態（15°開放状態）とした給気窓として機能し、図面右側の窓は開度を大開放状態（45°開放状態）とした排気窓として機能している。
【００７５】
図１３に示すように、ボイド空間等がない建物では各階毎に換気を行う必要があるが、空調設備を用いずに各階毎の換気を行うには、主に自然風を利用して建物内の換気を行う必要がある。しかしながら、自然風の風向きは一定ではないので、建物の外壁構成部に給気もしくは排気窓を限定して配置すると、風向きによっては有効な換気を行うことができない時もある。
【００７６】
そこで、建物の複数の外壁構成部に同じ給排気タイプの電動突き出し窓を設置することにより、各電動突き出し窓が、それぞれの窓に作用する風力に応じて給気窓もしくは排気窓として機能して、風上から入って風下から抜ける経路を容易に形成することができ、風向きが頻繁に変化するような複雑な風が発生するような場所であっても、風向きに応じた効率的な換気状態を作り出すことができる。なお、電動突き出し窓を設置する壁面は、対向する２面に限るものでは無く、多くの壁面に配置することにより、さまざまな風向きに対応したより効果的な換気を行うことができるようになる。
【００７７】
以上のように、本発明の電動突き出し窓は、風速センサ、降雨センサ、温度センサ等の外部センサを備え、外部センサにより送信される信号に応じて窓の開閉制御を行うので、暴風時には閉鎖して窓の破損や脱落を防止できるとともに、強風が吹き込んで居住者が不快を感じることなく、風速に応じて細かく開閉制御することができる。また、降雨時にも、雨の吹き込まない範囲での換気をすることができるので、換気窓を利用する期間を多くして、外部状況に応じた心地よい効率的な換気をすることができる。
【００７８】
そして、給排気タイプの電動突き出し窓を建物の複数の壁面に設けることにより、各階毎に、風向きが変化しても、各窓に作用する風力に応じて各窓を給気窓、排気窓として機能させることができる。そのため、自然風を利用した効率的な換気を行うことができ、換気用ファン等の空調設備の駆動を停止させて、建物全体の省エネルギー化に貢献できる。
【符号の説明】
【００７９】
１  枠体
１１  上枠
１１ｃ  回動軸
１２  下枠
１３  縦枠
１４  方立
２  障子
２１  上框
２１ｃ  軸受
２２  下框
２３  外側縦框
２４  方立側縦框
２５  パネル
３  開閉手段
３１  開閉アクチュエータ
３２  連動バー
３２ａ  ピン部材
３３  開閉アーム
３４  アームガイド
３５  駒部
３６  ブラケット
３６ａ  ピン部材
４  ロック手段
５  制御ユニット
５１  受信部
５２  制御部
５３  送信部
５６ａ  閉鎖タイマ（T0）
５６ｂ  小開タイマ（T5）
５６ｃ  中開タイマ（T15）
６  外部センサ
６１  風速センサ
６２  温度センサ
６３  降雨センサ
６４  煙感知センサ
７  操作手段
７１  自動開閉スイッチ
７２  手動操作スイッチ
７３  強制開放スイッチ
【図１】
2015048629.tif 000003
【図２】
2015048629.tif 000004
【図３】
2015048629.tif 000005
【図４】
2015048629.tif 000006
【図５】
2015048629.tif 000007
【図６】
2015048629.tif 000008
【図７】
2015048629.tif 000009
【図８】
2015048629.tif 000010
【図９】
2015048629.tif 000011
【図１０】
2015048629.tif 000012
【図１１】
2015048629.tif 000013
【図１２】
2015048629.tif 000014
【図１３】
2015048629.tif 000015